(57)【要約】【課題】  感度が高いクロマトグラフィー用の薄層プレートを提供すること。【解決手段】  薄層プレートで、サンプルを付与する付与部が撥水性を有する。【選択図】  図１
2019174388.tif 000002
【特許請求の範囲】
【請求項１】
担体層を有するクロマトグラフィー用の薄層プレートであって、前記担体層は、サンプルを付与する付与部と、展開液によって前記サンプルを展開するための展開部とを含み、前記付与部が撥水性を有することを特徴とする薄層プレート。
【請求項２】
前記展開液を導入する導入部を有することを特徴とする請求項１に記載の薄層プレート。
【請求項３】
撥水性を有する前記付与部における水の接触角が１１０度以上であることを特徴とする請求項１または２に記載の薄層プレート。
【請求項４】
撥水性を有する前記付与部における水の接触角が１２０度以上であることを特徴とする請求項３に記載の薄層プレート。
【請求項５】
撥水性を有する前記付与部における水の接触角が１３０度以上であることを特徴とする請求項４に記載の薄層プレート。
【請求項６】
撥水性を有する前記付与部がシリコン樹脂、及びフッ素樹脂の少なくとも何れか一方を含むことを特徴とする請求項１乃至５の何れか１項に記載の薄層プレート。
【請求項７】
前記シリコン樹脂が、直鎖状ジメチルポリシロキサン、メチルハイドロジェンポリシロキサン、及びポリメチルシルセスキオキサンの少なくともいずれか一種を含むことを特徴とする請求項６に記載の薄層プレート。
【請求項８】
前記フッ素樹脂が、テトラフルオロエチレン―パーフルオロパーフルオロアルコキシアルカン共重合体、テトラフルオロエチレン−ヘキサフルオロプロピレン共重合体、テトラフルオロエチレン−エチレン共重合体、及びポリ（ビニリデンフルオリド）のいずれかであることを特徴とする請求項６に記載の薄層プレート。
【請求項９】
前記担体層は、シリカゲル、またはセルロースを含み構成されていることを特徴とする請求項１乃至８の何れか１項に記載の薄層プレート。
【請求項１０】
前記付与部が、ロータス効果を有することを特徴とする請求項１乃至５の何れか１項に記載の薄層プレート。
【請求項１１】
前記導入部が親水性を有することを特徴とする請求項１乃至１０の何れか１項に記載の薄層プレート。
【請求項１２】
前記付与部には、水を含む前記サンプルが導入されることを特徴とする請求項１乃至１１の何れか１項に記載の薄層プレート。
【請求項１３】
前記展開部は、前記展開液によって展開された前記サンプルに含まれる検出対象物の有無、または濃度を検出するための検出部を含み構成されていることを特徴とする請求項１乃至１２の何れか１項に記載の薄層プレート。
【請求項１４】
検出対象物が８−Ｏｘｏ−２’−ｄｅｏｘｙｇｕａｎｏｓｉｎｅであることを特徴とする請求項１３に記載の薄層プレート。
【発明の詳細な説明】
【技術分野】
【０００１】
本発明は薄層クロマトグラフィー用の薄層プレートに関する。
【背景技術】
【０００２】
８−Ｏｘｏ−２’−ｄｅｏｘｙｇｕａｎｏｓｉｎｅ（８オキソ２’デオキシグアノシン、以下８−ＯＨｄＧと略すことがある）は活性酸素による生体への影響を鋭敏に反映する物質として知られており、酸化ストレスマーカーの一つである。
【０００３】
体内で生成される８−ＯＨｄＧの量を測定する事で、病態把握、病気予防などに繋がると考えられている。８−ＯＨｄＧは化学的に安定な物質で２次代謝などを受けずに尿中に排出される事から、尿中の８−ＯＨｄＧの量を測定する事で非侵襲的な計測が可能である。
【０００４】
尿中の８−ＯＨｄＧを高速液体クロマトグラフィー（ＨＰＬＣ）を用いて測定する方法および装置が知られている。しかしＨＰＬＣでは高価で大型な分析装置が必要であり、簡便に検出する方法ではない。
【０００５】
一方、薄層クロマトグラフィー（以下ＴＬＣともいう）は、ガラスやアルミなどの支持体上にシリカゲルやアルミナなどの担体を薄く塗ったプレートにサンプルを塗布（スポット）し、溶媒で展開することで、混合物を分離する手法がある。安価で迅速な分析が可能であることから、化学反応の追跡や簡易的な薬物検査などに広く用いられている。
【０００６】
希薄サンプルを定量分析する場合、ＨＰＬＣなどの分析法に比べてＴＬＣでは感度が低いことが問題となる。ＴＬＣで感度を向上させる方法として、特許文献１に開示されているように、濃縮部を備えるＴＬＣプレートがある。このプレートでは、吸着層の手前に、比表面積が小さく吸着活性の小さい担体を塗布した部分を連結したプレートである。塗布された目的物質は、濃縮部では吸着されないため、吸着層との連結部に濃縮され、分離能と感度が向上する。しかし、この方法では、縦方向（展開液の展開方向）の拡散は防げるものの横方向の拡散は防げないという問題があった。
【０００７】
したがって、ＴＬＣプレートの横方向にサンプルが濡れ拡がり拡散することにより感度が低下する、という課題があった。感度が高い
【先行技術文献】
【特許文献】
【０００８】
【特許文献１】特開昭５３−１４９３９３号公報
【非特許文献】
【０００９】
【非特許文献１】Ｔｈｅ  ｐｕｒｉｔｙ  ｏｆ  ｓａｃｒｅｄ  ｌｏｔｕｓ，ｏｒ  ｅｓｃａｐｅ  ｆｒｏｍ  ｃｏｎｔａｍｉｎａｔｉｏｎ  ｉｎ  ｂｉｏｌｏｇｉｃａｌ  ｓｕｒｆａｃｅｓ，Ｂａｒｔｈｌｏｔｔ，Ｗ．；Ｎｅｉｎｈｕｉｓ，Ｃ．Ｐｌａｎｔａ  １９９７，ＶＯＬ．２０２，ｐｐ．１−ｐｐ．８．
【発明の概要】
【発明が解決しようとする課題】
【００１０】
本発明は上記従来例に鑑みなされたものであり、感度が高いＴＬＣプレートを提供することを目的とする。
【課題を解決するための手段】
【００１１】
本発明に係る薄層プレートは、担体層を有するクロマトグラフィー用の薄層プレートであって、前記担体層は、サンプルを付与する付与部と、前記付与部に付与された前記サンプルを展開するための展開液を導入する導入部と、前記展開液によって前記サンプルを展開するための展開部とを含み、前記付与部が撥水性を有することを特徴とする。
【発明の効果】
【００１２】
本発明に係るＴＬＣプレートによれば、尿中の８−ＯＨｄＧ等の検出対象物の検出の感度が高い。
【図面の簡単な説明】
【００１３】
【図１】本発明の実施形態に係る薄層プレートを説明するための図。
【図２】従来の薄層プレートを説明するための図。
【図３】本発明の実施形態に係る薄層プレートの機能を説明するための図。
【図４】従来の薄層プレートの機能を説明するための図。
【発明を実施するための形態】
【００１４】
以下、本発明の実施形態について説明するが本発明はこれらに限られない。
【００１５】
＜薄層プレート＞
本実施形態に係るＴＬＣプレート（クロマトグラフィー用の薄層プレート）の一例について図１を用いて説明する。ＴＬＣプレートを以下では薄層プレートと略すことがある。薄層プレートは支持体１０４上に担体層１０３を少なくとも有する。なお、支持体がなく、担体層１０３が支持体を兼ねる構成であってもよい。担体層１０３は、サンプルを付与する領域（付与部）１０２と、付与部１０２に付与されたサンプルを展開するための展開液を導入する領域（導入部）１０５を含む。また、担体層１０３は、展開液によって前記サンプルを展開するための展開領域（展開部）１０８を含む。サンプルを付与する領域１０２には定量を行う検出対象物を含むサンプル１０１が導入される。
【００１６】
支持体１０４の材質は、ガラス、プラスチック、アルミ等が用いられ、サンプルの種類、展開液の種類等により適宜選択できる。支持体１０４の寸法や形状については、取り扱いの簡便さからは目的物質が移動する方向の長さ３ｃｍ〜１５ｃｍ、幅１ｃｍ〜５ｃｍの方形が好ましい。すなわち、支持体は、使いやすさの観点から、手の平サイズのスティック形状であることが好ましい。なお、導入部が親水性を有することが好ましい。
【００１７】
本実施形態にかかる薄層プレートは、付与部１０２が撥水性を有する。ここで、撥水性を有するとは、撥水性を有する表面における水の接触角が１１０度以上、好ましくは１２０度以上、さらに好ましくは１３０度以上であることを意味する。また、水の接触角が１７０度以下、好ましくは１５０度以下である。
【００１８】
サンプルが付与される付与部１０２が撥水性を有するため、サンプルは、展開液が展開される方向（縦方向）にも、縦方向と垂直な横方向にも濡れ広がりにくい。その結果、サンプルの多くを、展開液によって展開することができるため、展開される検出対象物も多くなり、検出感度を高くすることができる。
【００１９】
担体層１０３は、１μｍ以上１０００μｍ以下、典型的には数十から数百ミクロン程度の粒子状シリカゲルまたはセルロースを含み構成されている。担体層を構成する材料は、ギプス剤や有機高分子等によって結着していても良い。この場合、シリカゲルは担体と呼ばれる。また、撥水性を有する担体層表面がシリコン樹脂、及びフッ素樹脂の少なくとも何れか一方を含むことが好ましい。
【００２０】
サンプルを付与する領域１０２はサンプル１０１が、担体の表面上に付与される箇所である。サンプル１０１を付与部１０２に導入するための管が担体層１０３に設けられていても良い。
【００２１】
本実施形態において、サンプルは人類等生物から産する、尿・唾液・汗・鼻水・涙・便など排出物等の人由来の物質を含む。本実施形態に係る薄層プレートは、測定標的物質（検出対象物）が尿中の８−Ｏｘｏ−２’−ｄｅｏｘｙｇｕａｎｏｓｉｎｅ（８−ＯＨｄＧ）を検出する目的に適している。なお、人由来の物質に含まれる８−ＯＨｄＧ以外の検出対象物を検出することができる。
【００２２】
サンプルを付与する領域の大きさ（つまり展開領域１０８上に付与された目的物質の分布）は小さい方が好ましい。目的物質が小さいスポットにまとまっている方が、分離能が高い。ここで言う分離能とは、サンプルに含まれる各成分を分離する精度を意味しており、分離能が高い場合は分離されたある成分に、他の成分が混ざらない。
【００２３】
付与部１０２の形状は円形であっても直線状であっても良い。円形の場合は直径５ｍｍ以下が好ましく、直径３ｍｍ以下がより好ましい。また直線状の場合は直線は展開液が流れる方向に対して垂直方向に５ｍｍ以上の長さが好ましく、１０ｍｍ以上の長さがより好ましい。直線の幅は３ｍｍ以下が好ましく、１ｍｍ以下がより好ましい。
【００２４】
展開液が導入される領域１０５から後述する展開液を導入し、サンプルを付与する領域１０２のサンプル１０１は展開液によって展開領域１０８に向けて移動を開始する。展開領域１０８を移動する目的物質の速さはサンプル中の各成分の物性によって変化し、展開液が展開領域１０８の展開方向後端に達した頃には、サンプル中の各成分は展開領域１０８上の異なる位置に分布する。展開領域１０８は、前記展開液によって展開された前記サンプルに含まれる検出対象物の有無、または濃度を検出するための検出部を含み構成されている。定量を行う検出対象物１０９に対して非図示の検出用照明を照射し、展開領域１０８の検出部にて検出対象物を定量する。検出部が設けられる位置は、図面には明記していないが、検出対象物１０９が分離される領域を含んでいればよい。
【００２５】
展開領域１０８のシリカゲルは表面に有機物を修飾していても良い。展開領域１０８にはＵＶ光で蛍光する蛍光剤が含まれていても良い。蛍光剤が含まれているとＵＶ光で展開領域１０８上の有機物の一部を視認する事が出来る。８−ＯＨｄＧはその構造中に炭素の環状構造を有しＵＶを吸収する。その為、蛍光剤を含む分離部上ではＵＶ光で黒い影として視認できる。
【００２６】
展開領域１０８に８−ＯＨｄＧと反応し蛍光を発する成分が含まれていても良い。また、８−ＯＨｄＧと反応し呈色する成分でも良い。これらの成分によって展開領域１０８で検出する事が出来るようになる。
【００２７】
展開領域１０８上で展開された８−ＯＨｄＧは無色である為、基本的に目視では確認できない。展開領域１０８を構成するシリカゲルに予め蛍光剤を混合しておくと、ＵＶ光によって展開領域１０８が蛍光する。８−ＯＨｄＧを含む多くの有機化合物はＵＶ光を吸収する為、８−ＯＨｄＧが存在する展開領域１０８上は蛍光の強度が弱くなる。つまり、展開領域１０８上の８−ＯＨｄＧ濃度が高い程ＵＶ光による蛍光の強度は弱くなり、検出される蛍光強度によって８−ＯＨｄＧ濃度を測定する事が出来る。
【００２８】
このように本実施形態にかかる薄層プレートは、少なくともサンプルを付与する領域の担体層の表面上側、すなわち担体層表面に撥水性を保持し、展開液で目的物質を展開できれば良く、構造が簡単であり、設計自由度も高い。担体層１０３に、撥水性を付与する方法としては、シリコン樹脂、及びフッ素樹脂の少なくとも何れか一方をコーティングすること、が挙げられる。
【００２９】
本実施形態において、シリコン樹脂とフッ素樹脂はそれぞれ撥水性付与に使われるものであれば何でもよい。例えば撥水性付与目的に使わるシリコン樹脂としては構造式（１）に例示した直鎖状ジメチルポリシロキサンや、構造式（２）に例示したメチルハイドロジェンポリシロキサン等が広く使われている。
【００３０】
【化１】
2019174388.tif 000003
【００３１】
【化２】
2019174388.tif 000004
【００３２】
なお、構造式中のｎは繰り返し数を示している。
【００３３】
また構造式（３）例示したポリメチルシルセスキオキサンも広く使われている。
【００３４】
これは３次元を構造をとっており、構造式（４）に示すようなランダム型や構造式（５）に示すような籠型をしている。なお、構造式中のＲは水酸基や、メチル基、アルコキシル基である。
【００３５】
【化３】
2019174388.tif 000005
【００３６】
【化４】
2019174388.tif 000006
【００３７】
一方、撥水性付与目的に使わるフッ素樹脂としては、構造式（６）に例示したテトラフルオロエチレン―パーフルオロパーフルオロアルコキシアルカン共重合体や、
【００３８】
【化５】
2019174388.tif 000007
【００３９】
構造式（７）に例示したテトラフルオロエチレン−ヘキサフルオロプロピレン共重合体、
【００４０】
【化６】
2019174388.tif 000008
【００４１】
構造式（８）に例示したテトラフルオロエチレン−エチレン共重合体、
【００４２】
【化７】
2019174388.tif 000009
【００４３】
そして構造式（９）に例示したポリ（ビニリデンフルオリド）等が広く使われている。
【００４４】
【化８】
2019174388.tif 000010
【００４５】
何れも構造式中のｍとｎは繰り返し数を、またＲｆはフッ化アルキル基を示している。
【００４６】
以上のシリコン樹脂、及びフッ素樹脂のコーティングには以下の防水スプレーを使ってもよい。すなわちシリコン樹脂を含む防水スプレーとしては、アサヒペン社製はっ水スプレー３００ｍｌ、ダイソー社製防水スプレーなどがあげられる。フッ素樹脂を含むスプレーとしてはヘンケルジャパン（株）製  超強力防水スプレー  布・革用、ヘンケルジャパン（株）製  ｄｕｆｉｘ  超強力防水スプレー多用途  ４２０ｍｌ、ｉｓ−ｆｉｔ社製  防水スプレー  オールマイティ仕様  ３００ｍｌがある。そして、ジュエル（株）社製ヴィオラ  防水スプレー、コニシ社製  防水スプレー  ハイパワー  ４２０ｍｌ、３Ｍ社製  スコッチガード  防水・防汚スプレー  スエード靴専用、コニシ社製  防水スプレー  ハイパワー  ４２０ｍｌなどがあげられる。さらにシリコン樹脂とフッ素樹脂の両者を含む防水スプレーとしてはヘンケルジャパン（株）製  超強力防水スプレー長時間  ４２０ｍｌ、ヘンケルジャパン（株）製靴用超強力防水スプレー  １２６ｍｌなどがあげられる。一方、表面にミクロオーダーの凹凸を微細で周期的（微細周期構造）に施し撥水効果を発現させる方法もある。所謂ロータス（蓮）効果でありこれを利用してもよい。ロータス効果による防水スプレーとしてはＮＡＮＯ４ＴＥＣＨ社製  Ｄｒｙ  Ｂａｒｒｉｅｒ  ３６５があげられる。ロータス効果については非特許文献１が詳しい。
【００４７】
次に、本実施形態にかかる検査キットおよび薄層展開プレートが、サンプル中の検出対象物を高感度で検出できる理由について、図１から４を交え、例を挙げて説明する。図２は従来の薄層展開プレートを示している。従来の薄層展開プレートは本実施形態にかかる薄層展開プレートと異なり、サンプルを付与する領域１０２の担体層表面は撥水性を保持しておらず、サンプルと担体の親和性が高い。そのため図４に示すように、付与されたサンプル１０１ａは目的物質を含んだまま担体層を水平方向に広がりながら、担体層内部に浸透する。このためサンプルスポットは大きくなり、展開後の目的物質のスポットも広く薄くなり感度は向上しない。一方、図１に示した本実施形態にかかる薄層展開プレートにおいてはサンプルと撥水性を付与された担体層表面の間の親和性が低いため、図３に示すように付与されたサンプル１０１ａは水平方向に広がらないまま表面に留まる。この時、加熱し水分を蒸発させれば、目的物質は濃縮する。目的物質の濃度が上がると担体層表面サンプルの表面張力は下がり、担体層表面との親和性が高くなるため浸透が始まる。よって浸透前にサンプルスポットが水平方向に広がらないため、展開後の目的物質のスポットも濃いままになり感度が向上する。
【００４８】
展開領域１０８では８−ＯＨｄＧ濃度を可視化する必要があり、例として以下の手段がある。
【００４９】
（可視化手段１）展開領域１０８にＵＶ光で蛍光する蛍光剤を含有させ、ＵＶ光を照射する。８−ＯＨｄＧ濃度が高い程、黒い影として可視化される。この場合、非図示の検出用照明はＵＶ光源になる。
【００５０】
（可視化手段２）展開後、８−ＯＨｄＧと反応し呈色する試薬を展開領域１０８に散布する。散布する試薬によって発色の様子は変化するが、基本的に８−ＯＨｄＧ濃度に従った発色が起こる。この場合、非図示の検出用照明は無くても構わない。
【００５１】
（可視化手段３）展開後、８−ＯＨｄＧと反応し蛍光する試薬を展開領域１０８に散布する。ＵＶ光によって８−ＯＨｄＧ濃度に従った強度の蛍光が得られる。この場合、非図示の検出用照明はＵＶ光源になる。
【００５２】
８−ＯＨｄＧの量の計測には例として以下の手段がある。
【００５３】
（計測手段１）ＣＣＤやＣＭＯＳセンサーを有するデジタルカメラ等により８−ＯＨｄＧ濃度の分布を画像として解析する。
【００５４】
（計測手段２）フォトダイオード等で光の反射量、蛍光量を計測する。
【００５５】
（計測手段３）目視にて８−ＯＨｄＧ濃度を判断する。
【００５６】
＜展開液＞
本実施形態に係る展開液はアルコール及びエーテルの少なくともいずれか一方から構成される。また無機電解質を含んでもよい。
【００５７】
＜展開液主成分＞
展開液主成分はアルコール及びエーテルであり、具体的にはメタノール、エタノール、プロパノール、イソプロパノールが好ましい。これらのアルコールは尿中の８−ＯＨｄＧ以外の物質（以下、夾雑物）、特に尿酸の溶解度が低い。一方８−ＯＨｄＧは溶解させる為、分離に最適である。
【００５８】
水分を含有すると尿酸が溶解するようになる為、分離能が低下する。展開液主成分中の水分量は展開液重量に対して１５％以下が好ましい。
【００５９】
＜サンプル＞
検出対象物を含有するサンプルとしては尿、血液、汗、涙、鼻水、唾液、便およびこれらをもとにする、液体状のサンプルが挙げられる。また、含有する水の量を増減させた希釈、濃縮液が挙げられる。８−ＯＨｄＧのサンプルとしては尿が使われる事が多い。尿中８−ＯＨｄＧ量は酸化ストレスのマーカーとして有用である事が知られている。尿中には８−ＯＨｄＧの他、尿酸、クレアチニン、尿素、各種塩等が含まれている。
【実施例】
【００６０】
（８−ＯＨｄＧサンプルの調整）
和光純薬工業（株）  社製８−ＯＨｄＧをメルク社製メルクミリポアで調整したミリＱ水に溶かし表１に示すサンプル１から４を作成した。表１における８−ＯＨｄＧの濃度は、ミリＱ水に含まれるミリＱ水の質量を表す。
【００６１】
【表１】
2019174388.tif 000011
【００６２】
（展開液の調整）
和光純薬工業（株）社製２−プロパノールと前記ミリＱ水を１９：１の比率で混合し展開液とした。
【００６３】
（実施例１）
分離部として２ｃｍ×６ｃｍに切断した薄層展開シリカゲルプレート（ＴＬＣガラスプレート  シリカゲル６０  Ｆ２５４  メルク社製）を用いた。このシリカゲルプレートは支持体がガラスで分離部のシリカゲル層にはＵＶ蛍光剤（Ｆ２５４）が含まれている。シリカゲルプレートの短辺の一方を底辺とし、底辺から５ｍｍの位置を展開液との接触部とし、底辺から１０ｍｍ〜２０ｍｍの位置をサンプル付与する領域とし、その担体層の表面にシリコン樹脂を１．３ｍｇ／ｍｍ２塗布し撥水性を付与した。同樹脂塗布はダイソーが販売する防水スプレー（ＪＡＮコード４９４０９２１８２４７１１）を用いて行い、塗布後は８０℃のホットプレートで１０分間以上乾燥させた。同様なプレートを合計４枚用意した。
【００６４】
つぎに柴田化学（株）製μピペットにて前記プレート１枚ずつにサンプル１から４を２０μｌ付与した。薄層展開プレートは８０℃のホットプレート上でサンプルを乾燥させた。ＴＬＣ用展開層（ＣＡＭＡＧ社製  二槽式）の底部に２ｍｍ程度の深さとなるように展開液を入れ、展開層に蓋をして１０分静置した。その後、展開層中にプレートの底辺が下になるように入れ、展開液がサンプルの付与領域上端から２０ｍｍ上に上がるまで静置した。薄層展開シリカゲルプレートを取り出し、８０℃のホットプレートで１０分間以上乾燥させた。
【００６５】
（実施例２）
シリコン樹脂の塗布量が０．６５ｍｇ／ｍｍ２であること以外は実施例１と同様である。
【００６６】
（実施例３）
シリコン樹脂の代わりにヘンケルジャパン（株）製超強力防水スプレー  布・革用（ＪＡＮコード  ４９７６７４２２５７７７３）によりフッ素樹脂を１．３ｍｇ／ｍｍ２塗布したこと以外は実施例１と同様である。
【００６７】
（実施例４）
フッ素樹脂の塗布量が０．６５ｍｇ／ｍｍ２であること以外は実施例３と同様である。
【００６８】
（実施例５）
シリコン樹脂単体の代わりに、ヘンケルジャパン（株）製  超強力防水スプレー長時間  ４２０ｍｌ（ＪＡＮコード  ４９７６７４２２５７７７５）によりシリコン樹脂とフッ素樹脂を合計１．３ｍｇ／ｍｍ２塗布したこと以外は実施例１と同様である。
【００６９】
（実施例６）
シリコン樹脂とフッ素樹脂の塗布量が合計０．６５ｍｇ／ｍｍ２であること以外は実施例５と同様である。
【００７０】
（実施例７）
シリコン樹脂の代わりにＮＡＮＯ４ＴＥＣＨ社製  ＤＲＹ  Ｂａｒｒｉｅｒ  ３６５（ＪＡＮコード  ４５６０２４９３８０３２６）によりロータス効果を備えるシリカを合計１．３ｍｇ／ｍｍ２塗布したこと以外は実施例１と同様である。
【００７１】
（実施例８）
ロータス効果を備えるシリカの塗布量が０．６５ｍｇ／ｍｍ２であること以外は実施例７と同様である。
【００７２】
（実施例９）
アサヒペイント社製  はっ水プレー  ３００ｍｌ（ＪＡＮコード４９７０９２５３０３８１３）によりシリコン樹脂を１．３ｍｇ／ｍｍ２塗布したこと以外は実施例１と同様である。
【００７３】
（実施例１０）
シリコン樹脂の塗布量が０．６５ｍｇ／ｍｍ２であること以外は実施例９と同様である。
【００７４】
（比較例１）
シリコン樹脂やフッ素樹脂、またロータス効果を備えたシリカ等によるはっ水性付与を行わなかったこと以外は実施例１と同様である。
【００７５】
（比較例２）
シリコン樹脂の塗布量が０．１ｍｇ／ｍｍ２であること以外は実施例１と同様である。
【００７６】
（接触角測定方法）
協和界面科学（株）製ＤＲＯＰＭＡＳＴＥＲ５００により、実施例と比較例において使用するＴＬＣプレートの接触角を測定した。測定方法は液滴法を用い、液滴サイズは０．８μｌとした。液滴はＴＬＣプレート表面に滴下１秒後の安定した液滴の接触角を採用した。
【００７７】
（分析感度判定方法）
乾燥させた薄層展開プレートをエルシーサイエンス社製紫外線照射蛍光撮影装置ＵＶＣＵＶＥ内に収納した。２５４ｎｍのＵＶランプを照射して、デジタルカメラ（キヤノン社製ＰＯＷＥＲＳＨＯＴ  ＳＸ１５０  ＩＳで撮影した。撮影した画像を、ＰＣに取り込みＡｄｏｂｅ社製画像編集ソフトＰｈｏｔｏｓｈｏｐ  ＣＳに読み込み、情報ウィンドウにあるＧ値を読みこみ、下記（１）式により濃度をそれぞれ算出した。
【００７８】
【数１】
2019174388.tif 000012
【００７９】
ここでＳは８−ＯＨｄＧのスポットにおける上記Ｇ値を、Ｂは同スポット近接点におけるＧ値（すなわち下地の値）を示す。Ｄ値が大きいほど８−ＯＨｄＧが感度よく検出されたことを示す。Ｄ値が０．０１以下のものをＤ（許容できないレベル）とし不合格とした。Ｄ値が０．０１より大きく０．０３以下のものをＣ（好ましいレベル）、０．０３より大きく０．６０以下のものをＢ（さらに好ましいレベル）、０．０６より大きいものをＡ（より一層好ましいレベル）とし、ＣとＢ、Ａを合格とした。
【００８０】
【表２】
2019174388.tif 000013
【００８１】
表中、測定不可は滴下後１秒未満でプレートに吸収されたものを示す。
【００８２】
表２からわかるように接触角が１１０度以上の撥水性を発現するものはサンプル中の８−ＯＨｄＧ濃度が０．０２ｍ／ｍｌでもプレート上で認識できる。
【符号の説明】
【００８３】
１０１  ８−ＯＨｄＧ等の検出対象物を含むサンプル
１０１ａ  担体層の表面上に付与された８−ＯＨｄＧ等の検出対象物を含むサンプル
１０２  付与部（サンプルを付与する領域）
１０３  担体層
１０４  支持体（ガラス）
１０５  導入部（展開液を導入する領域）
１０８  展開部（サンプルの展開領域）
１０９  展開後の検出対象物（８−ＯＨｄＧ等）
１１０  下地のＧ値測定ポイント
【図１】
2019174388.tif 000014
【図２】
2019174388.tif 000015
【図３】
2019174388.tif 000016
【図４】
2019174388.tif 000017